(57)【要約】【課題】熱交換器の汚れを抑えることが可能な空気調和装置を提供する。【解決手段】ケーシング４は、吸込口４２と吹出口４９とを有している。クロスフローファン１１は、ケーシング４の内部に収容され、吸込口４２から吹出口４９に向かう空気流れを形成する。室内熱交換器１０は、ケーシング４の吸込口４２とクロスフローファン１１との間に位置している。プレフィルタ８は、ケーシング４の吸込口４２と室内熱交換器１０との間に位置している。第１遮蔽板９ｂは、プレフィルタ８を介することなくプレフィルタ８と室内熱交換器１０との間に流入する空気の流れを遮る。【選択図】図３
2008267723.tif 000002
【特許請求の範囲】
【請求項１】
吸い込んだ空気を調和して吹き出す空気調和装置（１００）であって、
吸込口（４２）と吹出口（４９）とを有するケーシング（４）と、
前記ケーシングの内部に収容され、前記吸込口から前記吹出口に向かう空気流れを形成するファン（１１）と、
前記ケーシングの吸込口と前記ファンとの間に位置する熱交換器（１０、１０ｆ、１０ｂ）と、
前記ケーシングの吸込口と前記熱交換器との間に位置するフィルタ（８）と、
前記フィルタを介することなく前記フィルタと前記熱交換器との間に流入する空気の流れを遮る遮蔽板（９）と、
を備えた空気調和装置（１００）。
【請求項２】
前記吸込口（４２）は、前記ケーシング（４）の天面および前面に設けられ、
前記フィルタ（８）は、前記ケーシング（４）の天面の一部と前面の一部にそれぞれ沿うように湾曲して配置され、
前記熱交換器（１０）は、第１熱交換部（１０ｂ）と前記第１熱交換部よりも前面側に位置する第２熱交換部（１０ｆ）とを有し、前記第１熱交換部の長手方向と前記第２熱交換部の長手方向とがなす前記ファン側の角度が１８０度より小さく、
前記第１熱交換部（１０ｂ）は、前面側に向かうほど上方に位置するように傾斜して配置され、
前記遮蔽板（９）は、前記第１熱交換部と前記フィルタとの間に位置している第１遮蔽板（９ｂ）と、前記ケーシングの吸込口と前記フィルタとの間に位置している第２遮蔽板（９ｆ）とを有している、
請求項１に記載の空気調和装置（１００）。
【請求項３】
前記第１熱交換部（１０ｂ）の長手方向と前記第２熱交換部（１０ｆ）の長手方向とがなす前記ファン側の角度は、９０度より小さい、
請求項２に記載の空気調和装置（１００）。
【請求項４】
前記遮蔽板（９）は、前記ケーシング（４）と一体成形されている、
請求項１から３のいずれかに記載の空気調和装置（１００）。
【請求項５】
前記遮蔽板（９）は、前記フィルタ（８）と一体成形されている、
請求項１から３のいずれか１項に記載の空気調和装置（１００）。
【請求項６】
前記遮蔽板（９）は、前記ケーシング（４）および前記フィルタ（８）とは別部材である、
請求項１から３のいずれか１項に記載の空気調和装置（１００）。
【請求項７】
少なくとも前記ファン（１１）の風量制御を行い、前記熱交換器（１０）の一端部近傍に配置される電装品部をさらに備え、
前記遮蔽板（９）は、前記熱交換器（１０）と前記電装品部との間に位置している、
請求項１から６のいずれか１項に記載の空気調和装置（１００）。
【請求項８】
前記熱交換器（１０）に接続され、前記ケーシング（４）外部との間で冷媒の流通を可能にするための連絡配管（５）をさらに備え、
前記ケーシング（４）は、前記連絡配管（５）を通過させるための配管開口を有しており、
前記遮蔽板（９）は、前記配管開口と前記熱交換器（１０）との間に位置する、
請求項１から７のいずれか１項に記載の空気調和装置（１００）。
【発明の詳細な説明】
【技術分野】
【０００１】
本発明は、熱交換器を備えた空気調和装置に関する。
【背景技術】
【０００２】
従来、空気調和装置の室内機に収容される室内熱交換器は、例えば、以下の特許文献１に示すように、室内機の能力を向上させつつ薄型化させるために、多段曲げされた状態でケーシング内に収容されている。
【０００３】
このような多段曲げの室内熱交換器が収容された室内機では、ケーシングが室内熱交換器の曲げ部分に沿うように形成されている。
【特許文献１】特開２００６−１４５０５０号公報
【発明の開示】
【発明が解決しようとする課題】
【０００４】
しかし、上記特許文献１に記載の空気調和装置では、側面視において、室内機の室内熱交換器の端部と、ケーシングとの間に隙間が生じている。これにより、送風ファンによって形成される空気流れによって、フィルタを通過することなく、この隙間から熱交換器に向かう空気が流入してしまい、埃等が熱交換器に堆積してしまうおそれがある。
【０００５】
本発明は、上述した点に鑑みてなされたものであり、本発明の課題は、熱交換器の汚れを抑えることが可能な空気調和装置を提供することにある。
【課題を解決するための手段】
【０００６】
第１発明に係る空気調和装置は、吸い込んだ空気を調和して吹き出す空気調和装置であって、ケーシングと、ファンと、熱交換器と、フィルタと、遮蔽板を備えている。ケーシングは、吸込口と吹出口とを有している。ファンは、ケーシングの内部に収容され、吸込口から吹出口に向かう空気流れを形成する。熱交換器は、ケーシングの吸込口とファンとの間に位置している。フィルタは、ケーシングの吸込口と熱交換器との間に位置している。遮蔽板は、フィルタを介することなくフィルタと熱交換器との間に流入する空気の流れを遮る。
【０００７】
ここでは、フィルタを介することなくフィルタと熱交換器との間に流入する空気流れは、遮蔽板が遮ることができる。このため、フィルタと熱交換器との間に流入しようとする空気流れは、強制的にフィルタを通過する流れになる。
【０００８】
これにより、フィルタを通過していない空気が熱交換器にまで導かれることを回避して、熱交換器に埃が堆積して汚れてしまうことを防止することが可能になる。
【０００９】
また、フィルタと熱交換器との間に対する空気流れが抑えられる場合には、熱交換器の近傍に配置される電装品や配管等に対するホコリの付着を回避することが可能になる。
【００１０】
第２発明に係る空気調和装置は、第１発明の空気調和装置であって、ケーシングの吸込口は、ケーシングの天面および前面に設けられている。フィルタは、ケーシングの天面の一部との一部にそれぞれ沿うように湾曲して配置されている。熱交換器は、第１熱交換部と、第１熱交換部よりも前面側に位置する第２熱交換部とを有し、第１熱交換部の長手方向と第２熱交換部の長手方向とがなすファン側の角度が１８０度より小さい。第１熱交換部は、前面側に向かうほど上方に位置するように傾斜して配置されている。そして、遮蔽板は、第１熱交換部とフィルタとの間に位置している第１遮蔽板と、ケーシングの吸込口とフィルタとの間に位置している第２遮蔽板とを有している。
【００１１】
ここでは、第１熱交換部に対して第２熱交換部が折れ曲がって設けられている。そして、第１熱交換部は、前面側に向かうほど上方に位置するように傾斜して配置されており、フィルタはケーシングの天面の一部および前面の一部にそれぞれ沿うように湾曲して配置されている。このため、フィルタと第１熱交換部との間、および、吸込口とフィルタとの間において、それぞれ側面方向からの空気流れが侵入しやすい。
【００１２】
これに対して、第２発明の空気調和装置では、第１熱交換部とフィルタとの間に第１遮蔽板が位置し、吸込口とフィルタとの間に第２遮蔽板が位置することで、それぞれの隙間に遮蔽板が位置しており、このような空気流れの侵入を防いでいる。
【００１３】
これにより、熱交換器に対する埃の堆積をより効果的に防止することが可能になる。
【００１４】
第３発明に係る空気調和装置は、第２発明の空気調和装置であって、第１熱交換部の長手方向と第２熱交換部の長手方向とがなすファン側の角度は、９０度より小さい。
【００１５】
ここでは、第１熱交換部と第２熱交換部との折れ曲がり角度を小さくすることにより、空気調和装置の前後方向の厚み幅を薄くすることが可能になる。
【００１６】
第４発明に係る空気調和装置は、第１発明から第３発明のいずれかの空気調和装置であって、遮蔽板は、ケーシングと一体成形されている。
【００１７】
ここでは、遮蔽板が、ケーシングと一体成形されているため、ケーシングと遮蔽板のそれぞれの部品を用意する必要がなくなる。
【００１８】
これにより、部品点数を削減させることが可能になる。
【００１９】
第５発明に係る空気調和装置は、第１発明から第３発明のいずれかの空気調和装置であって、遮蔽板は、フィルタと一体成形されている。
【００２０】
ここでは、遮蔽板が、フィルタと一体成形されているため、フィルタと遮蔽板のそれぞれの部品を用意する必要がなくなる。
【００２１】
これにより、部品点数を削減することが可能になる。
【００２２】
第６発明に係る空気調和装置では、第１発明から第３発明のいずれかの空気調和装置であって、遮蔽板は、ケーシングおよびフィルタとは別部材である。
【００２３】
ここでは、遮蔽板は、ケーシングとは別部材であり、フィルタとも別部材である。
【００２４】
これにより、遮蔽板だけを着脱させることが可能になる。
【００２５】
第７発明に係る空気調和装置では、第１発明から第６発明のいずれかの空気調和装置であって、少なくともファンの風量制御を行い、熱交換器の一端部近傍に配置される電装品部をさらに備えている。そして、遮蔽板は、熱交換器と電装品部との間に位置している。
【００２６】
ここでは、フィルタと熱交換器との間を通過する空気流れが低減されることにより、電装品部近傍に取り込まれる空気の量が少なく抑えられる。
【００２７】
これにより、電装品部に堆積する埃を低減させることが可能になる。
【００２８】
第８発明に係る空気調和装置では、第１発明から第７発明のいずれかの空気調和装置であって、熱交換器に接続され、ケーシング外部との間で冷媒の流通を可能にするための連絡配管をさらに備えている。そして、ケーシングは、連絡配管を通過させるための配管開口を有している。遮蔽板は、配管開口と熱交換器との間に位置している。
【００２９】
ここでは、連絡開口を通じてケーシング内に空気が取り込まれることがあったとしても、配管開口と熱交換器との間には遮蔽板が設けられているため、フィルタを介していない空気が熱交換器に直接供給されることを回避できる。
【００３０】
これにより、連絡開口を通じてケーシング内に空気が取り込まれることがあったとしても、熱交換器に埃が堆積することを抑えることが可能になる。
【発明の効果】
【００３１】
第１発明の空気調和装置では、フィルタを通過していない空気が熱交換器にまで導かれることを回避して、熱交換器に埃が堆積して汚れてしまうことを防止することが可能になる。
【００３２】
第２発明の空気調和装置では、熱交換器に対する埃の堆積をより効果的に防止することが可能になる。
【００３３】
第３発明の空気調和装置では、空気調和装置の前後方向の厚み幅を薄くすることが可能になる。
【００３４】
第４発明の空気調和装置では、部品点数を削減させることが可能になる。
【００３５】
第５発明の空気調和装置では、部品点数を削減させることが可能になる。
【００３６】
第６発明の空気調和装置では、遮蔽板だけを着脱させることが可能になる。
【００３７】
第７発明の空気調和装置では、電装品部に堆積する埃を低減させることが可能になる。
【００３８】
第８発明の空気調和装置では、連絡開口を通じてケーシング内に空気が取り込まれることがあったとしても、熱交換器に埃が堆積することを抑えることが可能になる。
【発明を実施するための最良の形態】
【００３９】
以下、図面に基づいて、本発明に係る空気調和装置の実施形態について説明する。
【００４０】
＜空気調和装置の概略構成＞
本発明の一実施形態が採用された空気調和装置１００は、図１に示すように、室内の壁面に設置される室内機１と、室外に設置される室外機２とを備えている。
【００４１】
室内機１内および室外機２内にはそれぞれ熱交換器が収納されており、各熱交換器が冷媒配管５により接続されることにより冷媒回路を構成している。
【００４２】
＜空気調和装置１００の冷媒回路の構成概略＞
空気調和装置１００の冷媒回路の構成を図２に示す。
【００４３】
この冷媒回路は、主として室内熱交換器１０、アキュムレータ２１、圧縮機２２、四路切換弁２３、室外熱交換器２０および膨張弁２４で構成される。
【００４４】
（室内機１）
室内機１に設けられている室内熱交換器１０は、接触する空気との間で熱交換を行う。ここでは、室内熱交換器１０は、室内機１の側面図である図３に示すように、フィンアンドチューブ型であって、室内機１の前方に配置される前方熱交換器１０ｆと、後方に配置される後方熱交換器１０ｂによって構成されている。
【００４５】
また、室内機１には、室内空気を吸い込んで室内熱交換器１０に通し熱交換が行われた後の空気を室内に排出するためのクロスフローファン１１が設けられている。クロスフローファン１１は、室内機１内に設けられる１つの室内ファンモータ１２によって回転駆動される。図３に示すように、室内熱交換器１０やクロスフローファン１１等は、室内機ケーシング４内に配置されている。
【００４６】
この室内機ケーシング４には、前面、天面に吸込口４２が設けられ、下方に吹出口４９が設けられている。この室内機ケーシング４には、図３に示すように、前面側においてフロントパネル４１が、背面側において据付板４３が、それぞれ設けられている。この据付板４３の内側には、後方熱交換器１０ｂやクロスフローファン１１の回転軸部等を支持する背面フレーム４４が配置されている。
【００４７】
プレフィルタ８は、室内機１のケーシング４の天面の後方および前面の下方との両方に沿うように湾曲して設けられている。
【００４８】
室内熱交換器１０の前方熱交換器１０ｆと後方熱交換器１０ｂとは、室内機ケーシング４内において、クロスフローファン１１を取り囲むように、クロスフローファン１１と吸込口４２との間に位置している。後方熱交換器１０ｂは、上端がプレフィルタ８の近傍まで伸びており、後方に向かうにつれてプレフィルタ８から遠ざかるように下方に伸びて傾斜して配置されている。この前方熱交換器１０ｆの長手方向と後方熱交換器１０ｂの長手方向とは、クロスフローファン１１側の角度が６０°程度になるように曲げて配置されている。ここでの角度は、これに限定されるものではなく、１８０°より小さい角度で多段曲げされて配置される場合や、９０°より小さい角度で曲げて配置される場合であってもよい。ここでは、前方熱交換器１０ｆの長手方向と後方熱交換器１０ｂの長手方向とがなす角度が小さいほど、室内機１の奥行き方向の厚みを薄くコンパクトに設計することが可能になる。
【００４９】
室内機１では、クロスフローファン１１が回転駆動すると、室内空気（空気中に浮遊している浮遊汚染物質の一部はプレフィルタ８で除去）が前方、天面の吸込口４２を介して室内熱交換器１０を通過するように取り込まれ、熱交換された調和空気を吹出口４９を介して再び室内に戻すことにより、対象となる空間を空調する。
【００５０】
図３に示すように、吸込口４２と室内熱交換器１０との間には、プレフィルタ８が設けられている。そして、正面視側端部において、後方熱交換器１０ｂと、プレフィルタ８と、据付板４３と、の間の空間を埋める第１遮風板９ｂが配置されている。ここで、第１遮風板９ｂは、後方熱交換器１０ｂの背面側およびプレフィルタ８の下面および据付板４３の前面側のいずれに対しても当接した状態で配置されている。さらに、正面視側端部において、プレフィルタ８と吸込口４２との間を埋める第２遮風板９ｆが配置されている。ここで、第２遮風板９ｆは、吸込口４２の下面側およびプレフィルタ８の上面側のいずれに対しても当接した状態で配置されている。
【００５１】
上述した第１遮風板９ｂおよび第２遮風板９ｆに対して熱交換器１０側とは反対側には、クロスフローファン１１の回転数制御を行ったり、図示しないリモコンからの制御信号に基づいて各種構成部品を制御する電装部品が設けられている。ここでは、第１遮風板９ｂおよび第２遮風板９ｆが設けられていることで、クロスフローファン１１によって形成される空気流れは、電装部品近傍には形成されにくい。このため、電装部品の周りに、埃が堆積することを回避することができる。
【００５２】
（室外機２）
室外機２には、圧縮機２２と、圧縮機２２の吐出側に接続される四路切換弁２３と、圧縮機２２の吸入側に接続されるアキュムレータ２１と、四路切換弁２３に接続されたフィンアンドチューブ型の室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、室外機２には、室外熱交換器２０での熱交換後の空気を外部に排出するためのプロペラファン２８が設けられている。このプロペラファン２８は、室外ファンモータ２９によって回転駆動される。
【００５３】
＜遮風板による空気流れのガイド＞
上述したように、第１遮風板９ｂを設けることで、後方熱交換器１０ｂとプレフィルタ８と据付板４３との間の空間を介して側面方向から流れ込む空気が遮られる。これにより、プレフィルタ８を通過することなく、後方熱交換器１０ｂとプレフィルタ８と据付板４３との間の空間を介して埃が除去されていない空気が直接後方熱交換器１０ｂに対して供給されてしまうことを防ぐことができる。
【００５４】
さらに、第２遮風板９ｆを設けることで、吸込口４２を通過した空気をプレフィルタ８に向かう流れから外れないように導くことができる。これにより、吸込口４２を通過した空気がプレフィルタ８を介することなく内部の前方熱交換器１０ｆに供給されることをより確実に防ぐことが可能になる。
【００５５】
＜空気調和装置１００の特徴＞
（１）
上記実施形態の空気調和装置１００では、プレフィルタ８を通過していない埃等を含んだ空気が室内熱交換器１０にまで導かれることを回避して、室内熱交換器１０に埃が堆積して汚れてしまうことを防止することができる。
【００５６】
（２）
上記実施形態の空気調和装置１００では、プレフィルタ８と室内熱交換器１０との間に対する空気流れが抑えられことで、室内熱交換器１０の近傍に配置される電装部品や配管等に埃が付着することを回避できる。
【００５７】
＜変形例＞
以上、本発明の実施形態について図面に基づいて説明したが、具体的な構成は、これらの実施形態に限られるものではなく、以下のように、発明の要旨を逸脱しない範囲で変更可能である。
【００５８】
（Ａ）
上記実施形態では、後方熱交換器１０ｂとプレフィルタ８と据付板４３との間の空間を埋める第１遮風板９ｂ、および、プレフィルタ８と吸込口４２との間を埋める第２遮風板９ｆとの両方が設けられた構成の空気調和装置１００を例に挙げて説明した。
【００５９】
しかし、本発明はこれに限定されるものではなく、例えば、図４に示すように、第２遮風板９ｆが設けられておらず、第１遮風板９ｂのみが設けられた構成であってもよい。ここで、図４において符合が上記実施形態と同じものは、同様の機能を有するものとする。この場合であっても、プレフィルタ８を通過することなく、後方熱交換器１０ｂとプレフィルタ８と据付板４３との間の空間を介して埃が除去されていない空気が直接後方熱交換器１０ｂに対して供給されてしまうことを防ぐことができる。
【００６０】
（Ｂ）
上記実施形態の空気調和装置１００では、第１遮風板９ｂおよび第２遮風板９ｆとが取り付けられた空気調和装置１００について例に挙げて説明した。
【００６１】
しかし、本発明はこれに限られるものではなく、例えば、図５に示すように、第１遮風板９ｂは、後方熱交換器１０ｂとプレフィルタ８と据付板４３との間に対して着脱可能な別部材であってもよい。第２遮風板９ｆについても、同様に、吸込口４２とプレフィルタ８との間に対して着脱可能なものであってもよい。この場合には、第１遮風板９ｂ、第２遮風板９ｆを取り付けることなく空気調和装置１００の室内機１を設置した後であっても、取付を行うことができる。また、第１遮風板９ｂと第２遮風板９ｆとを予め取り付けられた空気調和装置１００であっても、事後的に取り外して、第１遮風板９ｂおよび第２遮風板９ｆをそれぞれ個別に洗浄することが可能になる。
【００６２】
また、第１遮風板９ｂおよび第２遮風板９ｆは、ケーシング４と一体形成されていてもよいし、プレフィルタ８に対して一体形成されていてもよい。これらの場合には、部品点数を削減させることができる。
【００６３】
（Ｃ）
上記実施形態の空気調和装置１００では、第１遮風板９ｂおよび第２遮風板９ｆとが取り付けられた空気調和装置１００について例に挙げて説明した。
【００６４】
しかし、本発明はこれに限られるものではなく、例えば、室内機１のケーシング４は、室内熱交換器１０から伸びる連絡配管５を室外機２側まで伸ばすための配管開口が設けられており、第１遮風板９ｂは、この配管開口と室内熱交換器１０との間に位置するように設けられていてもよい。連絡配管は、室内熱交換器１０と室外熱交換器２０とを接続するものであるため、室内機１のケーシング４には、配管開口が設けられることになるが、この配管開口を介してプレフィルタ８を通過していない空気が流入することにより、室内熱交換器１０に埃が堆積してしまうおそれがある。
【００６５】
これに対して、変形例（Ｃ）では、室内機１のケーシング４に設けられた配管開口と、室内熱交換器１０との間に、第１遮風板９ｂが設けられ、配管開口からの空気流れが室内熱交換器１０にまで至ることを防いでいる。これにより、室内熱交換器１０に埃が堆積することを効果的に防止することが可能になる。
【産業上の利用可能性】
【００６６】
本発明を利用すれば、熱交換器を通過しない空気流れを低減させることができるため、特に、熱交換器を備えた空気調和装置に適用することができる。
【図面の簡単な説明】
【００６７】
【図１】本発明の一実施形態にかかる空気調和装置の概略構成図である。
【図２】空気調和装置の冷媒回路図である。
【図３】室内機の側断面図である。
【図４】変形例（Ａ）に係る室内機の側断面図である。
【図５】変形例（Ｂ）に係る室内機の取り外し遮風板の説明図である。
【符号の説明】
【００６８】
１  室内機
２  室外機
４  ケーシング（ケーシング、）
５  連絡配管
８  プレフィルタ（フィルタ）
９ｂ  第１遮風板
９ｆ  第２遮風板
１０  室内熱交換器（熱交換器）
１１  クロスフローファン（ファン）
２０  室外熱交換器
４３  据付板
１００  空気調和装置
【図１】
2008267723.tif 000003
【図２】
2008267723.tif 000004
【図３】
2008267723.tif 000005
【図４】
2008267723.tif 000006
【図５】
2008267723.tif 000007